(57)【要約】【課題】オーバードライブ駆動の効果を確認し易くすることができる技術を提供する。【解決手段】本発明の画像処理装置は、画像データを生成する生成手段と、表示部による表示が前記画像データに応じた表示に達するのに要する時間を短縮するための補正処理を、前記画像データに施す補正手段と、を有し、前記生成手段は、少なくとも一部の画素について、複数の色成分の一部である特定色成分の階調値の時間変化が、前記複数の色成分の残りである非特定色成分の階調値の時間変化よりも大きくなるように、前記画像データを生成する。【選択図】図２
2018072713.tif 000002
【特許請求の範囲】
【請求項１】
第１画像データを生成する生成手段と、
表示部による表示が前記第１画像データに応じた表示に達するのに要する時間を短縮するための補正処理を、前記第１画像データに施す補正手段と、
を有し、
前記生成手段は、少なくとも一部の画素について、複数の色成分の一部である特定色成分の階調値の時間変化が、前記複数の色成分の残りである非特定色成分の階調値の時間変化よりも大きくなるように、前記第１画像データを生成する
ことを特徴とする画像処理装置。
【請求項２】
前記生成手段は、少なくとも一部の前記画素について、前記特定色成分の階調値が時間変化し、且つ、前記非特定色成分の階調値が時間変化しないように、前記第１画像データを生成する
ことを特徴とする請求項１に記載の画像処理装置。
【請求項３】
前記生成手段は、階調値の或る時間変化に対する前記補正処理の補正量に応じた変化量で前記特定色成分の階調値が時間変化するように、前記第１画像データを生成する
ことを特徴とする請求項１または２に記載の画像処理装置。
【請求項４】
前記補正量が小さい場合の前記変化量は、前記補正量が大きい場合の前記変化量よりも大きい
ことを特徴とする請求項３に記載の画像処理装置。
【請求項５】
前記表示部の温度に関する温度値を取得する取得手段、をさらに有し、
前記生成手段は、前記温度値に応じた変化量で前記特定色成分の階調値が時間変化するように、前記第１画像データを生成する
ことを特徴とする請求項１または２に記載の画像処理装置。
【請求項６】
前記温度値に対応する温度が高い場合の前記変化量は、前記温度値に対応する温度が低い場合の前記変化量よりも大きい
ことを特徴とする請求項５に記載の画像処理装置。
【請求項７】
前記生成手段は、第１部分画像と、前記第１部分画像との前記特定色成分の階調値の差が、前記第１部分画像との前記非特定色成分の階調値の差よりも大きい第２部分画像とが配置されたパターン画像が移動するように、前記第１画像データを生成する
ことを特徴とする請求項１〜６のいずれか１項に記載の画像処理装置。
【請求項８】
前記生成手段は、前記特定色成分が互いに異なる複数の画像が配置された画像データを、前記第１画像データとして生成する
ことを特徴とする請求項１〜６のいずれか１項に記載の画像処理装置。
【請求項９】
前記生成手段は、前記複数の画像、各階調値が時間変化しない画像、及び、各階調値が同じ変化量で時間変化する画像が配置された画像データを、前記第１画像データとして生成する
ことを特徴とする請求項８に記載の画像処理装置。
【請求項１０】
前記表示部に画像データを出力する出力手段、をさらに有し、
前記補正手段は、前記第１画像データ、または、前記第１画像データとは異なる第２画像データに、前記補正処理を施し、
前記第２画像データに対する前記補正処理によって得られた画像データを前記出力手段が出力する場合に、前記生成手段は前記第１画像データの生成を省略する
ことを特徴とする請求項１〜９のいずれか１項に記載の画像処理装置。
【請求項１１】
前記生成手段は、前記第１画像データとは異なる第２画像データによって表された画像の一部に、前記特定色成分の階調値の時間変化が前記非特定色成分の階調値の時間変化よりも大きい画素を含む画像が重ねられた画像データを、前記第１画像データとして生成する
ことを特徴とする請求項１〜１０のいずれか１項に記載の画像処理装置。
【請求項１２】
前記第２画像データは、前記画像処理装置に入力された画像データである
ことを特徴とする請求項１０または１１に記載の画像処理装置。
【請求項１３】
前記複数の階調値は、赤色成分に対応するＲ値、緑色成分に対応するＧ値、及び、青色成分に対応するＢ値である
ことを特徴とする請求項１〜１２のいずれか１項に記載の画像処理装置。
【請求項１４】
第１画像データを生成する生成ステップと、
表示部による表示が前記第１画像データに応じた表示に達するのに要する時間を短縮するための補正処理を、前記第１画像データに施す補正ステップと、
を有し、
前記生成ステップでは、少なくとも一部の画素について、複数の色成分の一部である特定色成分の階調値の時間変化が、前記複数の色成分の残りである非特定色成分の階調値の時間変化よりも大きくなるように、前記第１画像データを生成する
ことを特徴とする画像処理方法。
【請求項１５】
請求項１４に記載の画像処理方法の各ステップをコンピュータに実行させるためのプログラム。
【発明の詳細な説明】
【技術分野】
【０００１】
本発明は、画像処理装置および画像処理方法に関する。
【背景技術】
【０００２】
表示装置に関する技術として、「オーバードライブ駆動」と呼ばれる技術がある。オーバードライブ駆動では、表示素子の応答速度が向上するように、表示対象の画像データ（対象画像データ）に応じた駆動信号とは異なる駆動信号が表示素子に供給される。換言すれば、対象画像データに応じた駆動信号とは異なる駆動信号が表示素子に供給されるように、対象画像データが補正される。オーバードライブ駆動は、例えば、表示素子として液晶素子を有する液晶表示装置で行われる。
【０００３】
「表示素子の応答速度」は、「表示素子への駆動信号の供給が開始したタイミングから、対象画像データに応じた表示に表示素子の表示が達したタイミングまでの時間」とも言える。透過型の液晶表示装置において、「液晶素子の応答速度」は、「液晶素子への駆動信号の供給が開始したタイミングから、対象画像データに応じた透過率に液晶素子の透過率が達したタイミングまでの時間」とも言える。
【０００４】
オーバードライブ駆動に関する技術は、例えば、特許文献１に開示されている。特許文献１に開示の技術では、現在のフレームの１つ前または１つ後のフレームの画像データから、現在のフレームに対応する駆動信号が決定される。
【０００５】
オーバードライブ駆動の効果を確認（検査）する方法として、黒い背景上を白い文字、白い物体、等が移動する動画を表示装置で表示し、表示された動画を目で確認する方法がある（目視確認）。目視確認では、オーバードライブ駆動の状態を実行状態と非実行状態との間で切り替えることにより、オーバードライブ駆動の効果（応答速度の向上）を確認することができる。実行状態は、オーバードライブ駆動が実行される状態であり、非実行状態は、オーバードライブ駆動が実行されない状態である。
【０００６】
しかしながら、表示素子の応答速度は表示素子の温度に依存するため、オーバードライブ駆動の状態を切り替えても、オーバードライブ駆動の効果を容易に確認できないことがある。例えば、液晶素子の応答速度は、液晶素子の温度が高いほど高い。そして、液晶素子の温度が高い場合には、液晶素子の応答速度が高いため、オーバードライブ駆動の状態を切り替えても、オーバードライブ駆動の効果を容易に確認できない。また、オーバードライブ駆動を実行する場合の駆動信号とオーバードライブ駆動を実行しない場合の駆動信号との差も、液晶素子の温度に依存する。そのため、オーバードライブ駆動の状態を切り替えても、オーバードライブ駆動の効果を容易に確認できないことがある。
【０００７】
オーバードライブ駆動の効果を確認するための画像（確認画像）として白黒画像を用いた場合には、オーバードライブ駆動の状態の切り替えに起因した変化として、確認画像の表示輝度（画面上の輝度）の変化しか確認できない。そのため、確認画像として白黒画像を用いた場合には、オーバードライブ駆動の効果の確認が非常に困難となることがある。また、複数の表示素子の間で応答速度がばらつくことがある。そのため、各表示素子の応答速度を考慮した最適な確認画像を生成することも難しい。
【０００８】
応答速度の確認に関する技術は、例えば、特許文献２に開示されている。特許文献２に開示の技術では、表示輝度に対応するセンサ値を出力する輝度センサが使用される。特許文献２に開示の技術では、白画像の表示から黒画像の表示への切り替えに対応するセンサ
値の変化に基づいて、表示装置の応答性（応答速度）の良否が判断される。しかしながら、特許文献２に開示の技術を用いても、オーバードライブ駆動の効果を容易に確認できないことがある。具体的には、特許文献２に開示の技術では、センサ値の変化に基づいて応答性の良否が判断されるに過ぎない。そのため、特許文献２に開示の技術では、表示装置の温度が高い場合に、「応答性が良好である」と判断されるが、オーバードライブ駆動によって応答性が向上されたのか、表示装置の温度上昇によって応答性が向上されたのかを判断することはできない。
【０００９】
このように、従来技術では、オーバードライブ駆動の効果を容易に確認できないことがある。具体的には、表示素子の温度によっては、オーバードライブ駆動の状態を切り替えても、表示素子の応答速度の変化が小さく、オーバードライブ駆動の効果を容易に確認できないことがある。
【００１０】
図１は、液晶素子の応答特性の一例を示す。液晶素子の応答特性は、液晶素子の応答速度と液晶素子の温度との対応関係の特性である。図１の応答速度は、液晶素子への駆動信号の供給が開始したタイミングから、対象画像データに応じた透過率に液晶素子の透過率が達したタイミングまでの時間［ｍｓｅｃ］である。図１の破線１０１１は、オーバードライブ駆動の状態が非実行状態である場合の応答特性であり、実線１０１２は、オーバードライブ駆動の状態が実行状態である場合の応答特性である。
【００１１】
図１の例では、温度２０［℃］の場合において、矢印１０１３で示すように、応答特性１０１１の応答速度と応答特性１０１２の応答速度との差として、５［ｍｓｅｃ］という大きい差が得られる。しかしながら、上述したように、液晶素子の応答速度は、液晶素子の温度が高いほど高い。換言すれば、液晶素子の応答速度の値［ｍｓｅｃ］は、液晶素子の温度が高いほど小さい。そのため、温度３０［℃］の場合には、矢印１０１４で示すように、応答特性１０１１の応答速度と応答特性１０１２の応答速度との差として、１［ｍｓｅｃ］という小さい差が得られてしまう。応答特性１０１１の応答速度と応答特性１０１２の応答速度との小さい差に対応する表示の差を、目、輝度センサ、等で確認することは難しい。即ち、液晶素子の温度が高い場合には、液晶素子の応答速度が高いため、オーバードライブ駆動の状態を切り替えても、オーバードライブ駆動の効果を容易に確認できない。
【先行技術文献】
【特許文献】
【００１２】
【特許文献１】特開平１０−３９８３７号公報
【特許文献２】特開２００５−３１６０４９号公報
【発明の概要】
【発明が解決しようとする課題】
【００１３】
本発明は、オーバードライブ駆動の効果を確認し易くすることができる技術を提供することを目的とする。
【課題を解決するための手段】
【００１４】
本発明の第１の態様は、
画像データを生成する生成手段と、
表示部による表示が前記画像データに応じた表示に達するのに要する時間を短縮するための補正処理を、前記画像データに施す補正手段と、
を有し、
前記生成手段は、少なくとも一部の画素について、複数の色成分の一部である特定色成分の階調値の時間変化が、前記複数の色成分の残りである非特定色成分の階調値の時間変
化よりも大きくなるように、前記画像データを生成する
ことを特徴とする画像処理装置である。
【００１５】
本発明の第２の態様は、
画像データを生成する生成ステップと、
表示部による表示が前記画像データに応じた表示に達するのに要する時間を短縮するための補正処理を、前記画像データに施す補正ステップと、
を有し、
前記生成ステップでは、少なくとも一部の画素について、複数の色成分の一部である特定色成分の階調値の時間変化が、前記複数の色成分の残りである非特定色成分の階調値の時間変化よりも大きくなるように、前記画像データを生成する
ことを特徴とする画像処理方法である。
【００１６】
本発明の第３の態様は、本発明の第２の態様である画像処理方法の各ステップをコンピュータに実行させるためのプログラムである。
【発明の効果】
【００１７】
本発明によれば、オーバードライブ駆動の効果を確認し易くすることができる。
【図面の簡単な説明】
【００１８】
【図１】液晶素子の応答特性の一例を示す図
【図２】実施例１に係る表示装置の構成例を示すブロック図
【図３】従来の波形の一例を示す図
【図４】実施例１に係る波形の一例を示す図
【図５】実施例１に係る補正テーブルデータの一例を示す図
【図６】実施例１に係るパターン画像の一例を示す図
【図７】実施例１に係る、補正値とパターン画像との対応関係の一例を示す図
【図８】実施例２に係る表示装置の構成例を示すブロック図
【図９】実施例２に係る、温度とパターン画像との対応関係の一例を示す図
【図１０】実施例３に係るパターン画像の一例を示す図
【図１１】実施例３に係るテストパターン画像データの一例を示す図
【発明を実施するための形態】
【００１９】
＜実施例１＞
以下、本発明の実施例１について説明する。なお、以下では、本実施例に係る画像処理装置の各処理が表示装置において行われる例を説明するが、本実施例に係る画像処理装置の各処理は、表示装置とは別体の装置によって行われてもよい。例えば、本実施例に係る画像処理装置の各処理は、パーソナルコンピュータ（ＰＣ）などで行われてもよい。また、以下では、表示装置が透過型の液晶表示装置である例を説明するが、表示装置は、透過型の液晶表示装置に限られない。例えば、発光部と、発光部からの光を画像データに基づいて変調することにより画面に画像を表示する表示部と、を有する他の表示装置が使用されてもよい。具体的には、反射型の液晶表示装置、表示素子としてＭＥＭＳ（Ｍｉｃｒｏ
Ｅｌｅｃｔｒｏ  Ｍｅｃｈａｎｉｃａｌ  Ｓｙｓｔｅｍ）シャッタを有するＭＥＭＳシャッタ方式表示装置、プロジェクタ、等が使用されてもよい。有機ＥＬ表示装置、プラズマ表示装置、等の自発光型の表示装置が使用されてもよい。
【００２０】
図２は、本実施例に係る表示装置の構成例を示すブロック図である。図２に示すように、本実施例に係る表示装置は、液晶パネル１０１とバックライトユニット１０７を有する。また、本実施例に係る表示装置は、フレームメモリ１０２、補正テーブル選択部１０３、オーバードライブ補正量決定部１０４、オーバードライブ補正処理部１０５、及び、テ
ストパターン生成部１０６を有する。
【００２１】
［本実施例の効果が得られる原理の説明］
本実施例によれば、「オーバードライブ駆動の効果を確認し易くすることができる」という効果が得られる。この効果が得られる原理について、図３，４を用いて説明する。オーバードライブ駆動では、表示素子の応答速度が向上するように、表示対象の画像データ（対象画像データ）に応じた駆動信号とは異なる駆動信号が表示素子に供給される。換言すれば、対象画像データに応じた駆動信号とは異なる駆動信号が表示素子に供給されるように、対象画像データが補正される。
【００２２】
「表示素子の応答速度」は、「表示素子への駆動信号の供給が開始したタイミングから、対象画像データに応じた表示に表示素子の表示が達したタイミングまでの時間」とも言える。透過型の液晶表示装置において、「液晶素子の応答速度」は、「液晶素子への駆動信号の供給が開始したタイミングから、対象画像データに応じた透過率に液晶素子の透過率が達したタイミングまでの時間」とも言える。
【００２３】
図３，４は、オーバードライブ駆動の状態が実行状態である場合における表示輝度の時間変化と、オーバードライブ駆動の状態が非実行状態である場合における表示輝度の時間変化との一例を示す。さらに、図３，４は、実行状態の表示と非実行状態の表示との間の差（表示差）の時間変化の一例も示す。表示輝度は、画面上の輝度である。実行状態は、オーバードライブ駆動が実行される状態であり、非実行状態は、オーバードライブ駆動が実行されない状態である。
【００２４】
図３は、従来例を示す。図３の例では、赤色成分に対応する階調値であるＲ値、緑色成分に対応する階調値であるＧ値、及び、青色成分に対応する階調値であるＢ値の全てが１フレーム期間ごとに切り替えられる。具体的には、図３の例では、フレームの切り替わりに応じて、Ｒ値、Ｇ値、及び、Ｂ値の全てが同じ変化量で時間変化する。
【００２５】
図３において、輝度応答波形１０３１は、オーバードライブ駆動の状態が実行状態である場合における表示輝度の時間変化を表す応答波形である。そして、輝度応答波形１０３２は、オーバードライブ駆動の状態が非実行状態である場合における表示輝度の時間変化を表す応答波形である。
【００２６】
色差波形１０３３は、表示差の時間変化を表す波形である。ここで、表示差は、輝度応答波形１０３１の表示輝度と輝度応答波形１０３２の表示輝度との間の差である。具体的には、表示差は、表示輝度の差に対応する色差ΔＥである。例えば、一般的な光センサを用いた測色によって得られた三刺激値（輝度成分の値、及び、色成分の値）がＣＩＥ  Ｌａｂ表色系の値に変換される。そして、実行状態と非実行状態との間の、ＣＩＥ  Ｌａｂ表色系の値の差が、色差ΔＥとして算出される。この色差ΔＥは、ある２つの表示（色味）の間の知覚色（ユーザが知覚した色）の差を定量化した値である。色差ΔＥが大きいほど、２つの表示（色味）の差が大きい。
【００２７】
Ｒ値、Ｇ値、及び、Ｂ値の全てが同じ変化量で時間変化する場合には、実行状態の表示輝度と非実行状態の表示輝度との間の差が小さく、色差ΔＥが小さい色差波形１０３３が得られる。そのため、目、光センサ、等で表示差を容易に確認することはできない。即ち、オーバードライブ駆動の効果を容易に確認できない。
【００２８】
図４は、本実施例を示す。図４の例では、Ｒ値とＢ値が切り替えられず、Ｇ値のみが１フレーム期間ごとに切り替えられる。即ち、図４の例では、フレームの切り替わりに応じて、Ｇ値が時間変化し、Ｒ値とＢ値は時間変化しない。
【００２９】
図４において、輝度応答波形１０３４は、オーバードライブ駆動の状態が実行状態である場合と、オーバードライブ駆動の状態が非実行状態である場合とにおける、赤色成分の表示輝度の時間変化を表す応答波形である。Ｒ値が時間変化しないため、赤色成分の表示輝度の時間変化は生じない。また、Ｒ値が時間変化しないため、実行状態と非実行状態との間で、赤色成分の表示輝度は等しい。
【００３０】
輝度応答波形１０３５は、オーバードライブ駆動の状態が実行状態である場合と、オーバードライブ駆動の状態が非実行状態である場合とにおける、青色成分の表示輝度の時間変化を表す応答波形である。Ｂ値が時間変化しないため、青色成分の表示輝度の時間変化は生じない。また、Ｂ値が時間変化しないため、実行状態と非実行状態との間で、青色成分の表示輝度は等しい。
【００３１】
輝度応答波形１０３７は、オーバードライブ駆動の状態が実行状態である場合における、緑色成分の表示輝度の時間変化を表す応答波形である。そして、輝度応答波形１０３６は、オーバードライブ駆動の状態が非実行状態である場合とにおける、緑色成分の表示輝度の時間変化を表す応答波形である。Ｇ値が時間変化するため、緑色成分の表示輝度の時間変化が生じる。また、Ｇ値が時間変化するため、実行状態と非実行状態との間で、緑色成分の表示輝度は異なる。
【００３２】
色差波形１０３８は、表示差（色差ΔＥ）の時間変化を表す波形である。
【００３３】
上述したように、図４では、実行状態と非実行状態との間において、赤色成分の表示輝度の差と、青色成分の表示輝度の差とは生じずに、緑色成分の表示輝度の差が生じる。そのため、実行状態と非実行状態との間における、赤色成分、緑色成分、及び、青色成分の全てに対応する表示の差として、表示輝度の差と、表示色の差との両方が生じる。その結果、色差ΔＥの時間変化が色差波形１０３３のそれに比べ大きい色差波形１０３８が得られる。そのため、目、光センサ、等で表示差を容易に確認することができる。即ち、オーバードライブ駆動の効果を容易に確認できる。
【００３４】
なお、色差ΔＥの算出方法は特に限定されない。図３，４には、表示差として色差ΔＥが示されているが、表示差は色差ΔＥに限られない。図３，４では、実行状態と非実行状態との間でオーバードライブ駆動の状態を切り替える例を説明したが、そのような切り替えは行われなくてもよい。実行状態に対応する表示が確認されれば、Ｇ値の時間変化による表示の時間変化を容易に確認することができ、オーバードライブ駆動の効果を容易に確認することができる。また、図４では、Ｒ値とＢ値は時間変化しない例を説明したが、Ｒ値とＢ値は時間変化してもよい。Ｇ値の時間変化がＲ値とＢ値の時間変化よりも大きければ、Ｇ値の時間変化による表示の時間変化を容易に確認することができ、オーバードライブ駆動の効果を容易に確認することができる。
【００３５】
［本実施例に係る各機能部の説明］
図２の各機能部について説明する。
【００３６】
液晶パネル１０１は、複数の表示素子として複数の液晶素子を有する表示部である。本実施例では、液晶パネル１０１は、画像データの複数の画素のそれぞれについて、Ｒ液晶素子、Ｇ液晶素子、及び、Ｂ液晶素子を有する。Ｒ液晶素子は、赤色成分の表示を行う表示素子であり、Ｇ液晶素子は、緑色成分の表示を行う表示素子であり、Ｂ液晶素子は、青色成分の表示を行う表示素子である。具体的には、Ｒ液晶素子は、赤色成分の光を透過（変調）する液晶素子であり、Ｇ液晶素子は、緑色成分の光を透過する液晶素子であり、Ｂ液晶素子は、青色成分の光を透過する液晶素子である。
【００３７】
液晶パネル１０１は、オーバードライブ補正処理部１０５から出力された画像データに応じて各液晶素子の透過率（変調率）を制御する。具体的には、液晶パネル１０１は、画像データの複数の画素のそれぞれについて、画像データのＲ値に応じてＲ液晶素子の透過率を制御し、画像データのＧ値に応じてＧ液晶素子の透過率を制御し、画像データのＢ値に応じてＢ液晶素子の透過率を制御する。
【００３８】
バックライトユニット１０７は、発光部であり、液晶パネル１０１の背面に光を照射する。本実施例では、バックライトユニット１０７は、所定の光（所定の輝度および所定の色を有する光）を発する。バックライトユニット１０７から発せられた光が液晶パネル１０１を透過することにより、画面に画像が表示される。なお、バックライトユニット１０７の発光輝度、バックライトユニット１０７の発光色、等は適宜変更されてもよい。例えば、発光輝度、発光色、等が画像データに基づいて制御されてもよい。そして、発光輝度、発光色、等に基づいて画像データが補正されてもよい。
【００３９】
本実施例に係る複数の処理のそれぞれを説明することにより、他の機能部を説明する。
【００４０】
［［オーバードライブ処理］］
本実施例に係るオーバードライブ処理について説明する。オーバードライブ処理は、液晶パネル１０１による表示が対象画像データに応じた表示に達するのに要する時間を短縮するための補正処理である。換言すれば、オーバードライブ処理は、各液晶素子の応答速度が向上するように対象画像データを補正する補正処理である。本実施例では、テストパターン生成部１０６が、フレーム毎に、対象画像データを出力する。
【００４１】
以下では、対象画像データの階調値が８ｂｉｔの値（０〜２５５）であり、且つ、液晶パネル１０１が表示可能な階調値が８ｂｉｔの値である例を説明する。なお、対象画像データの階調値のビット数と、液晶パネル１０１が表示可能な階調値のビット数とは、８ｂｉｔより多くても少なくてもよい。対象画像データの階調値のビット数は、液晶パネル１０１が表示可能な階調値のビット数より多くても少なくてもよい。
【００４２】
（ＳＴＥＰ１）
まず、フレームメモリ１０２が、テストパターン生成部１０６から出力された対象画像データ（現在のフレームの対象画像データ；現対象画像データ）を記憶する。そして、フレームメモリ１０２は、記憶している対象画像データ（現在のフレームの１つ前のフレームの対象画像データ；前対象画像データ）を、オーバードライブ補正量決定部１０４へ出力する。
【００４３】
（ＳＴＥＰ２）
次に、補正テーブル選択部１０３が、補正処理で使用される補正パラメータを、オーバードライブ補正量決定部１０４へ出力する。補正パラメータは特に限定されないが、本実施例では、補正パラメータとして、現対象画像データの階調値、前対象画像データの階調値、及び、現対象画像データの階調値を補正する補正値の対応関係を示す補正テーブルデータが使用される。
【００４４】
本実施例では、補正テーブル選択部１０３は、複数の温度値にそれぞれ対応する複数の補正テーブルデータ（補正パラメータ）を予め記憶する。補正テーブル選択部１０３は、液晶パネル１０１の温度に関する温度値Ｔを取得し、取得した温度値Ｔに対応する補正テーブルデータを選択し、選択した補正テーブルデータをオーバードライブ補正量決定部１０４へ出力する。例えば、温度値Ｔは、液晶パネル１０１に設けられた温度センサの検出値、表示装置の周囲の温度を検出する温度センサの検出値、バックライトユニット１０７
に設けられた温度センサの検出値、等である。液晶パネル１０１の温度は、表示装置の周囲の温度、バックライトユニット１０７の温度、等に依存する。そのため、「液晶パネルに設けられた温度センサの検出値」だけでなく、「表示装置の周囲の温度を検出する温度センサの検出値」と「バックライトユニットに設けられた温度センサの検出値」も、「液晶パネルの温度に関する温度値」と言える。温度値Ｔに応じて補正テーブルデータが切り替えられることにより、温度値Ｔの変化に起因した液晶パネル１０１の応答速度の変化を考慮したオーバードライブ処理が可能となる。
【００４５】
（ＳＴＥＰ３）
そして、オーバードライブ補正量決定部１０４が、現対象画像データの階調値を補正する補正値を決定し、決定した補正値をオーバードライブ補正処理部１０５へ出力する。オーバードライブ補正量決定部１０４は、補正値の決定および出力を、現対象画像データの複数の階調値のそれぞれについて行う。
【００４６】
本実施例では、テストパターン生成部１０６から出力された現対象画像データ、フレームメモリ１０２から出力された前対象画像データ、及び、補正テーブル選択部１０３から出力された補正テーブルデータに基づいて、補正値が決定される。
【００４７】
具体的には、オーバードライブ補正量決定部１０４は、補正テーブル選択部１０３からのテーブルデータを、ルックアップテーブルに変換する。現対象画像データの階調値と前対象画像データの階調値とがルックアップテーブルに入力されると、ルックアップテーブルは、入力された２つの階調値の組み合わせに対応する補正値を出力する。そして、オーバードライブ補正量決定部１０４は、得られたルックアップテーブル、現対象画像データ、及び、前対象画像データを用いて、補正値を決定する。具体的には、オーバードライブ補正量決定部１０４は、現対象画像データのｍ行ｎ列目の階調値と、前対象画像データのｍ行ｎ列目の階調値とを、ルックアップテーブルに入力する。それにより、現対象画像データのｍ行ｎ列目の階調値を補正する補正値ＨＤｍｎがルックアップテーブルから出力され、オーバードライブ補正量決定部１０４は補正値ＨＤｍｎを取得する。
【００４８】
図５は、補正テーブルデータの一例を示す。図５の補正テーブルデータでは、現対象画像データの階調値と前対象画像データの階調値との複数の組み合わせのそれぞれについて、補正値が定められている。補正値は特に限定されないが、本実施例では、現対象画像データの階調値に加算する値が補正値として使用される。
【００４９】
（ＳＴＥＰ４）
次に、オーバードライブ補正処理部１０５が、テストパターン生成部１０６から出力された現対象画像データの各階調値に、オーバードライブ補正量決定部１０４から出力された補正値を加算する。それにより、補正画像データが生成される。オーバードライブ補正処理部１０５は、生成した補正画像データを、液晶パネル１０１へ出力する。
【００５０】
（ＳＴＥＰ５）
そして、液晶パネル１０１が、オーバードライブ補正処理部１０５から出力された補正画像データに応じて各液晶素子の透過率を制御する。それにより、現対象画像データに応じて各液晶素子の透過率が制御される場合の速度に比べ高い速度で、現対象画像データに基づく画像が画面に表示される。
【００５１】
図５の補正データテーブルが使用された場合には、現対象画像データの階調値「２５４」と前対象画像データの階調値「１」との組み合わせに対して、補正値「２５３」が得られる。そして、現対象画像データの階調値「２５４」が補正画像データの階調値「５０７（＝２５４＋２５３）」に補正される。その結果、階調値「２５４」に応じた駆動信号で
はなく、階調値「５０７」に応じた駆動信号が液晶素子に供給される。階調値が大きいほど駆動信号が大きい場合には、階調値「５０７」に応じた駆動信号として、階調値「２５４」に応じた駆動信号よりも大きい駆動信号が液晶素子に供給される。それにより、階調値「２５４」に応じた駆動信号が液晶素子に供給された場合の時間に比べ短い時間で、液晶素子の透過率を階調値「２５４」に応じた透過率へ変更することができる。
【００５２】
また、現対象画像データの階調値「１」と前対象画像データの階調値「２５５」との組み合わせに対して、補正値「−２５４」が得られる。そして、現対象画像データの階調値「１」が補正画像データの階調値「−２５３（＝１−２５４）」に補正される。その結果、階調値「１」に応じた駆動信号ではなく、階調値「−２５３」に応じた駆動信号が液晶素子に供給される。階調値が大きいほど駆動信号が大きい場合には、階調値「−２５３」に応じた駆動信号として、階調値「１」に応じた駆動信号よりも小さい駆動信号が液晶素子に供給される。それにより、階調値「１」に応じた駆動信号が液晶素子に供給された場合の時間に比べ短い時間で、液晶素子の透過率を階調値「１」に応じた透過率へ変更することができる。
【００５３】
［［テストパターン生成処理］］
本実施例に係るテストパターン生成処理について説明する。テストパターン生成処理は、オーバードライブ駆動の効果の確認のための画像データであるテストパターン画像データ（第１画像データ）を生成する処理である。
【００５４】
本実施例では、テストパターン生成部１０６は、オーバードライブ駆動の効果の確認を行うか否かに関するテスト制御信号に応じて、テストパターン生成処理の実行とテストパターン生成処理の非実行とを切り替える。テスト制御信号は、例えば、表示装置に対してユーザが行った操作に応じて生成され、テストパターン生成部１０６に入力される。テストパターン生成部１０６は、テスト制御信号に応じて、オーバードライブ駆動の効果の確認が行われるか否かを判断する。
【００５５】
「オーバードライブ駆動の効果の確認が行われない」と判断された場合には、テストパターン生成部１０６は、テストパターン生成処理を省略する。そして、テストパターン生成部１０６は、入力画像データ（表示装置に入力された画像データ；テストパターン画像データとは異なる第２画像データ）を対象画像データとして出力する。その結果、入力画像データに対するオーバードライブ処理が行われ、入力画像データに対するオーバードライブ処理によって得られた補正画像データが、液晶パネル１０１へ出力される。
【００５６】
「オーバードライブ駆動の効果の確認が行われる」と判断された場合には、テストパターン生成部１０６は、テストパターン生成処理を行い、テストパターン画像データを対象画像データとして出力する。その結果、テストパターン画像データに対するオーバードライブ処理が行われ、テストパターン画像データに対するオーバードライブ処理によって得られた補正画像データが、液晶パネル１０１へ出力される。
【００５７】
なお、テストパターン生成処理が実行されるタイミングは特に限定されない。例えば、予め定められたタイミングでテストパターン生成処理が実行されるように、テストパターン生成処理の実行とテストパターン生成処理の非実行とが切り替えられてもよい。テストパターン生成処理の実行とテストパターン生成処理の非実行とが切り替えられずに、テストパターン生成処理が常に行われてもよい。また、第２画像データは、入力画像データに限られない。例えば、第２画像データは、表示装置の記憶部から読み出された画像データであってもよいし、表示装置において生成された画像データであってもよい。
【００５８】
本実施例では、テストパターン生成部１０６は、少なくとも一部の画素について、特定
色成分の階調値が時間変化し、且つ、非特定色成分の階調値が時間変化しないように、テストパターン画像データを生成する。特定色成分は、複数の色成分の一部であり、非特定色成分は、複数の色成分の残りである。本実施例では、特定色成分は緑色成分であり、非特定色成分は赤色成分と青色成分である。そのため、少なくとも一部の画素についてＧ値が時間変化し且つＲ値とＢ値が時間変化しないテストパターン画像データが生成される。
【００５９】
なお、特定色成分の階調値と非特定色成分の階調値との両方が時間変化してもよい。上記少なくとも一部の画素について、特定色成分の階調値の時間変化が、非特定色成分の階調値の時間変化よりも大きくなるように、テストパターン画像データが生成されればよい。それにより、オーバードライブ駆動の効果を確認し易くすることができる。但し、上記少なくとも一部の画素について非特定色成分の階調値を時間変化させないことにより、オーバードライブ駆動の効果をより確認し易くすることができる。
【００６０】
本実施例では、テストパターン生成部１０６は、第１部分画像と第２部分画像とが配置されたパターン画像が所定速度で移動するように、テストパターン画像データを生成する。ここで、第２部分画像のＲ値は第１部分画像のＲ値と等しく、第２部分画像のＢ値は第１部分画像のＢ値と等しい。そのため、パターン画像が移動しても、上記少なくとも一部の画素において、Ｒ値とＢ値は時間変化しない。一方で、第２部分画像のＧ値は、第１部分画像のＧ値と異なる。そのため、パターン画像が移動することにより、上記少なくとも一部の画素において、Ｇ値は、第１部分画像のＧ値と第２部分画像のＧ値との一方から他方へ時間変化する。
【００６１】
なお、第２部分画像のＲ値は第１部分画像のＲ値と異なっていてもよいし、第２部分画像のＢ値は第１部分画像のＢ値と異なっていてもよい。第２部分画像のＧ値と第１部分画像のＧ値との差が、第２部分画像のＲ値と第１部分画像のＲ値との差、及び、第２部分画像のＢ値と第１部分画像のＢ値との差よりも大きければよい。それにより、上記少なくとも一部の画素において、Ｇ値の時間変化として、Ｒ値とＢ値の時間変化よりも大きい時間変化を実現することができる。
【００６２】
なお、パターン画像の移動方向は特に限定されない。例えば、パターン画像が水平方向に移動してもよいし、パターン画像が垂直方向に移動してもよいし、パターン画像が斜め方向に移動してもよい。また、パターン画像の移動速度は特に限定されない。例えば、１フレーム毎にパターン画像が１画素分だけ移動してもよいし、複数フレーム毎にパターン画像が１画素分だけ移動してもよいし、１フレーム毎にパターン画像が複数画素分だけ移動してもよい。また、第１部分画像の形状、第１部分画像のサイズ、等は特に限定されない。例えば、第１部分画像の形状は四角形であってもよいし、第１部分画像の形状は三角形であってもよい。第１部分画像のサイズは１画素分のサイズであってもよいし、第１部分画像のサイズは複数画素分のサイズであってもよい。同様に、第２部分画像の形状、第２部分画像のサイズ、等も特に限定されない。
【００６３】
なお、特定色成分の階調値が時間変化し、且つ、非特定色成分の階調値が時間変化しない画像領域とは異なる画像領域における階調値は特に限定されない。本実施例では、特定色成分の階調値が時間変化し、且つ、非特定色成分の階調値が時間変化しない画像領域とは異なる画像領域は、パターン画像の画像領域とは異なる画像領域である。以後、特定色成分の階調値が時間変化し、且つ、非特定色成分の階調値が時間変化しない画像領域とは異なる画像領域を「背景領域」と記載する。例えば、背景領域の階調値は、入力画像データ（第２画像データ）の階調値と等しくてもよいし、そうでなくてもよい。入力画像データによって表された画像の一部に、Ｇ値が時間変化し且つＲ値とＢ値が時間変化しない画素を含む画像が重ねられた画像データが、テストパターン画像データとして生成されてもよいし、そうでなくてもよい。Ｒ値とＢ値の時間変化を確実に抑制するために、Ｒ値とＢ
値は画像全体で均一であることが好ましい。
【００６４】
なお、テストパターン画像データの生成方法は、上記方法に限られない。例えば、パターン画像が移動するような画像データでなくてもよい。例えば、少なくとも一部の画素について、Ｒ値とＢ値が時間変化せずに、Ｇ値が時間変化すれば、テストパターン画像データはどのような画像データであってもよい。
【００６５】
［［テストパターン選択処理］］
本実施例に係るテストパターン選択処理について説明する。補正テーブルデータは、液晶パネル１０１の温度に関する温度値Ｔに依存する。そのため、オーバードライブ処理の補正量（上述した補正値の絶対値）も温度値Ｔに依存する。そして、オーバードライブ駆動（オーバードライブ処理）の効果は、オーバードライブ処理の補正量に依存する。そこで、本実施例では、テストパターン生成部１０６は、階調値の或る時間変化（参照変化）に対するオーバードライブ処理の補正量に応じた変化量でＧ値が時間変化するように、テストパターン画像データを生成する。具体的には、複数のパターン画像が予め定められている。そして、テストパターン生成部１０６は、参照変化に対するオーバードライブ処理の補正量に応じたパターン画像を複数のパターン画像から選択し、選択したパターン画像が配置されたテストパターン画像データを生成する。テストパターン選択処理は、テストパターン画像データの生成のためのパターン画像を選択する処理である。
【００６６】
なお、参照変化は特に限定されない。参照変化は、予め定められた変化であってもよいし、入力画像データの階調変化（階調値の時間変化）であってもよいし、テストパターン画像データの階調変化であってもよい。参照変化は、画像データの複数の階調変化の代表変化（平均の階調変化、最大の階調変化、最小の階調変化、頻度が最も多い階調変化、中間的な階調変化、等）であってもよい。
【００６７】
図６（Ａ），６（Ｂ）は、パターン画像の一例を示す。本実施例では、複数のパターン画像として、図６（Ａ）のパターン画像と図６（Ｂ）のパターン画像とが使用される。図６（Ａ）のパターン画像には、Ｒ値＝Ｂ値＝Ｐ１且つＧ値＝Ｐ２−１である部分画像１０５１と、Ｒ値＝Ｂ値＝Ｐ１且つＧ値＝Ｐ２−２≠Ｐ２−１である部分画像１０５２とが配置されている。図６（Ｂ）のパターン画像には、Ｒ値＝Ｂ値＝Ｐ１且つＧ値＝Ｐ３−１である部分画像１０５３と、Ｒ値＝Ｂ値＝Ｐ１且つＧ値＝Ｐ３−２≠Ｐ３−１である部分画像１０５４とが配置されている。
【００６８】
ここで、Ｇ値＝Ｐ２−１とＧ値＝Ｐ２−２との間の差は、Ｇ値＝Ｐ３−１とＧ値＝Ｐ３−２との間の差と異なる。そのため、Ｇ値＝Ｐ２−１とＧ値＝Ｐ２−２との一方から他方へのＧ値の時間変化に対するＧ値の補正量は、Ｇ値＝Ｐ３−１とＧ値＝Ｐ３−２との一方から他方へのＧ値の時間変化に対するＧ値の補正量と異なる。本実施例では、Ｇ値＝Ｐ３−１とＧ値＝Ｐ３−２との間の差は、Ｇ値＝Ｐ２−１とＧ値＝Ｐ２−２との間の差よりも大きい。そのため、Ｇ値＝Ｐ３−１とＧ値＝Ｐ３−２との一方から他方へのＧ値の時間変化に対するＧ値の補正量は、Ｇ値＝Ｐ２−１とＧ値＝Ｐ２−２との一方から他方へのＧ値の時間変化に対するＧ値の補正量よりも大きい。
【００６９】
本実施例では、テストパターン生成部１０６は、図６（Ａ）のパターン画像と図６（Ｂ）のパターン画像との一方を選択し、選択したパターン画像が配置されたテストパターン画像データを生成する。なお、選択されたパターン画像が１つだけ配置されたテストパターン画像データが生成されてもよいし、選択されたパターン画像が複数配置されたテストパターン画像データが生成されてもよい。テストパターン画像データにおいて、パターン画像の数、パターン画像の配置、等は特に限定されない。例えば、画像全体に渡って複数個のパターン画像が連続して並べられてもよいし、そうでなくてもよい。１つ以上のパタ
ーン画像が配置された画像領域のサイズが、確認できるサイズ以上であればよい。
【００７０】
参照変化に対する補正量が大きい場合には、Ｇ値の時間変化が或る程度小さくても、Ｇ値の時間変化に対して大きい補正量が得られる。しかしながら、参照変化に対する補正量が小さい場合には、Ｇ値の時間変化が或る程度大きくなければ、Ｇ値の時間変化に対して大きい補正量は得られない。そこで、本実施例では、テストパターン生成部１０６は、参照変化に対する補正量が小さい場合において、参照変化に対する補正量が大きい場合の変化量よりも大きい変化量でＧ値が時間変化するように、テストパターン画像データを生成する。具体的には、テストパターン生成部１０６は、参照変化に対する補正量が大きい場合に、図６（Ａ）のパターン画像を選択し、参照変化に対する補正量が小さい場合に、図６（Ｂ）のパターン画像を選択する。
【００７１】
図７は、参照変化に対する補正値（オーバードライブ補正量決定部１０４によって決定された補正値）と選択されるパターン画像との対応関係の一例を示す。ここで、参照変化に対する補正値が１２８以上または−１２８以下の値である場合Ｃ１−１と、参照変化に対する補正値が−１２７以上かつ１２７以下の値である場合Ｃ１−２とを考える。図７の例では、場合Ｃ１−１において図６（Ａ）のパターン画像が選択され、場合Ｃ１−２において図６（Ｂ）のパターン画像が選択される。
【００７２】
本実施例では、図６（Ａ）のパターン画像のＧ値Ｐ２−１，Ｐ２−２は、場合Ｃ１−１において、Ｇ値＝Ｐ２−１とＧ値＝Ｐ２−２との一方から他方へのＧ値の時間変化に対するＧ値の補正量が閾値以上となるように、定められている。そして、図６（Ｂ）のパターン画像のＧ値Ｐ３−１，Ｐ３−２は、場合Ｃ１−２において、Ｇ値＝Ｐ３−１とＧ値＝Ｐ３−２との一方から他方へのＧ値の時間変化に対するＧ値の補正量が閾値以上となるように、定められている。
【００７３】
以上述べたように、本実施例によれば、少なくとも一部の画素について、特定色成分の階調値の時間変化が、非特定色成分の階調値の時間変化よりも大きくなるように、テストパターン画像データが生成される。そして、そのようなテストパターン画像データを用いることにより、オーバードライブ駆動の効果を確認し易くすることができる。なお、実行状態に対応する表示のみが確認されてもよいし、実行状態と非実行状態との間でオーバードライブ駆動の状態を切り替え、実行状態に対応する表示と非実行状態に対応する表示とが確認されてもよい。実行状態に対応する表示と非実行状態に対応する表示とを互いに比較すれば、オーバードライブ駆動の効果のより容易に確認することができる。
【００７４】
さらに、本実施例によれば、参照変化に対する補正量に応じた変化量で特定色成分の階調値が時間変化するように、テストパターン画像データが生成される。それにより、特定色成分の階調値の時間変化に対する補正量として、大きい補正量をより確実に得ることができる。その結果、オーバードライブ駆動の効果を、より確実に確認し易くすることができる。
【００７５】
なお、本実施例では、複数の色成分が、赤色成分、緑色成分、及び、青色成分である例を説明したが、これに限られない。例えば、複数の色成分は、黄色成分を含んでいてもよい。画像データの複数の階調値は、黄色成分に対応する階調値を含んでいてもよい。表示部は、黄色成分に対応する表示素子を有していてもよい。また、特定色成分は、緑色成分に限られない。赤色成分、青色成分、黄色成分、等が特定色成分として使用されてもよい。例えば、Ｒ値が時間変化し、且つ、Ｇ値とＢ値が時間変化しないように、テストパターン画像データが生成されてもよい。特定色成分として、２つ以上の色成分が使用されてもよい。非特定色成分として、１つの色成分が使用されてもよい。例えば、Ｒ値とＧ値が時間変化し、且つ、Ｂ値が時間変化しないように、テストパターン画像データが生成されて
もよい。
【００７６】
なお、本実施例では、予め用意された２つのパターン画像のいずれかを選択して使用する例を説明したが、これに限られない。パターン画像の数は、２つより多くてもよい。特定色成分の階調値の時間変化に対する補正量として常に大きい補正量が得られるような、１つのパターン画像のみが使用されてもよい。即ち、特定色成分の階調変化の変化量は、予め定められた固定量であってもよい。閾値以上の補正量が得られるように、得られた補正量に基づいて特定色成分の階調値（変化前の階調値と変化後の階調値）を補正する処理が繰り返されてもよい（フィードバック制御）。
【００７７】
＜実施例２＞
以下、本発明の実施例２について説明する。実施例１では、参照変化に対する補正量に応じた変化量で特定色成分の階調値を時間変化させる例を説明した。本実施例では、表示部の温度に関する温度値Ｔを取得し、温度値Ｔに応じた変化量で特定色成分の階調値を時間変化させる例を説明する。なお、以下では、実施例１と異なる点（構成、処理、等）について詳しく説明し、実施例１と同じ点についての説明は省略する。
【００７８】
図８は、本実施例に係る表示装置の構成例を示すブロック図である。本実施例に係る表示装置は、実施例１（図２）のテストパターン生成部１０６の代わりに、テストパターン生成部２０１を有する。テストパターン生成部２０１は、実施例１のテストパターン生成部１０６と同様の処理を行う。但し、テストパターン生成部２０１のテストパターン選択処理は、テストパターン生成部１０６のテストパターン選択処理と異なる。
【００７９】
［［テストパターン選択処理］］
本実施例に係るテストパターン選択処理について説明する。実施例１で述べたように、オーバードライブ処理の補正量は温度値Ｔに依存し、オーバードライブ駆動の効果は、オーバードライブ処理の補正量に依存する。即ち、オーバードライブ駆動の効果は、温度値Ｔに依存する。そこで、本実施例では、テストパターン生成部２０１は、温度値Ｔを取得し、取得した温度値Ｔに応じた変化量でＧ値が時間変化するように、テストパターン画像データを生成する。具体的には、複数のパターン画像が予め定められている。そして、テストパターン生成部２０１は、温度値Ｔに応じたパターン画像を複数のパターン画像から選択し、選択したパターン画像が配置されたテストパターン画像データを生成する。
【００８０】
温度値Ｔに対応する温度が低い場合には、液晶パネル１０１の応答速度が低いため、Ｇ値の時間変化が或る程度小さくても、Ｇ値の時間変化に対して大きい補正量が得られる。しかしながら、温度値Ｔに対応する温度が高い場合には、液晶パネル１０１の応答速度が高いため、Ｇ値の時間変化が或る程度大きくなければ、Ｇ値の時間変化に対して大きい補正量は得られない。そこで、本実施例では、テストパターン生成部２０１は、温度値Ｔに対応する温度が高い場合において、温度値Ｔに対応する温度が低い場合の変化量よりも大きい変化量でＧ値が時間変化するように、テストパターン画像データを生成する。具体的には、テストパターン生成部２０１は、参照変化に対する補正量が大きい場合に、図６（Ａ）のパターン画像を選択し、参照変化に対する補正量が小さい場合に、図６（Ｂ）のパターン画像を選択する。
【００８１】
なお、温度と温度値Ｔの対応関係は特に限定されない。温度が高いほど大きい値が温度値Ｔとして得られる場合には、「温度値Ｔに対応する温度が低い場合」は「温度値Ｔが小さい場合」とも言え、「温度値Ｔに対応する温度が高い場合」は「温度値Ｔが大きい場合」とも言える。温度が高いほど小さい値が温度値Ｔとして得られる場合には、「温度値Ｔに対応する温度が低い場合」は「温度値Ｔが大きい場合」とも言え、「温度値Ｔに対応する温度が高い場合」は「温度値Ｔが小さい場合」とも言える。
【００８２】
図９は、温度値Ｔに対応する温度と選択されるパターン画像との対応関係の一例を示す。ここで、温度値Ｔに対応する温度が３０［℃］未満である場合Ｃ２−１と、温度値Ｔに対応する温度が３０［℃］以上である場合Ｃ２−２とを考える。図９の例では、場合Ｃ２−１において図６（Ａ）のパターン画像が選択され、場合Ｃ２−２において図６（Ｂ）のパターン画像が選択される。
【００８３】
本実施例では、図６（Ａ）のパターン画像のＧ値Ｐ２−１，Ｐ２−２は、場合Ｃ２−１において、Ｇ値＝Ｐ２−１とＧ値＝Ｐ２−２との一方から他方へのＧ値の時間変化に対するＧ値の補正量が閾値以上となるように、定められている。そして、図６（Ｂ）のパターン画像のＧ値Ｐ３−１，Ｐ３−２は、場合Ｃ２−２において、Ｇ値＝Ｐ３−１とＧ値＝Ｐ３−２との一方から他方へのＧ値の時間変化に対するＧ値の補正量が閾値以上となるように、定められている。
【００８４】
以上述べたように、本実施例によれば、温度値Ｔに応じた変化量で特定色成分の階調値が時間変化するように、テストパターン画像データが生成される。それにより、特定色成分の階調値の時間変化に対する補正量として、大きい補正量をより確実に得ることができる。その結果、オーバードライブ駆動の効果を、より確実に確認し易くすることができる。さらに、オーバードライブ処理の補正量を確認せずにテストパターン画像データを生成することができるため、テストパターン生成処理に要する時間の短縮が期待できる。
【００８５】
＜実施例３＞
以下、本発明の実施例３について説明する。実施例１，２では、１種類の特定色成分を用いる例を説明した。本実施例では、複数の画像領域の間で特定色成分を異ならせる例を説明する。なお、以下では、実施例１と異なる点（構成、処理、等）について詳しく説明し、実施例１と同じ点についての説明は省略する。
【００８６】
［［テストパターン生成処理］］
本実施例に係るテストパターン生成処理について説明する。本実施例でも、テストパターン生成部１０６は、オーバードライブ駆動の効果の確認を行うか否かに関するテスト制御信号に応じて、テストパターン生成処理の実行とテストパターン生成処理の非実行とを切り替える。本実施例では、テストパターン生成部１０６は、特定色成分が互いに異なる複数の部分画像が配置された画像データを、テストパターン画像データとして生成する。本実施例では、部分画像（パターン画像）を移動させない。本実施例では、部分画像の位置を固定して、部分画像の画像領域における特定色成分の階調値が時間変化させる。
【００８７】
図１０（Ａ）〜１０（Ｄ）は、本実施例に係るパターン画像の一例を示す。図１０（Ａ）のパターン画像には、部分画像３０１０と部分画像３０１１とが配置されている。図１０（Ｂ）のパターン画像には、部分画像３０１２と部分画像３０１１とが配置されている。図１０（Ｃ）のパターン画像には、部分画像３０１３と部分画像３０１１とが配置されている。図１０（Ｄ）のパターン画像には、部分画像３０１４と部分画像３０１１とが配置されている。
【００８８】
部分画像３０１０は、Ｒ値が時間変化し、且つ、Ｇ値とＢ値が時間変化しない画像である。そのため、部分画像３０１０において、特定色成分は赤色成分である。部分画像３０１２は、Ｇ値が時間変化し、且つ、Ｒ値とＢ値が時間変化しない画像である。そのため、部分画像３０１２において、特定色成分は緑色成分である。部分画像３０１３は、Ｂ値が時間変化し、且つ、Ｒ値とＧ値が時間変化しない画像である。そのため、部分画像３０１３において、特定色成分は青色成分である。部分画像３０１１は、Ｒ値、Ｇ値、及び、Ｂ値の全てが時間変化しない画像であり、部分画像３０１４は、Ｒ値、Ｇ値、及び、Ｂ値の
全てが同じ変化量で時間変化する画像である。
【００８９】
本実施例では、テストパターン生成部１０６は、各階調値の時間変化の変化量を、参照変化に対するオーバードライブ処理の補正量に応じて決定する。なお、実施例２のように、各階調値の時間変化の変化量が、温度値Ｔに応じて決定されてもよい。そして、テストパターン生成部１０６は、決定した変化量に基づいて各部分画像の各階調値を決定することで図１０（Ａ）〜１０（Ｄ）のパターン画像を生成し、図１０（Ａ）〜１０（Ｄ）のパターン画像が配置されたテストパターン画像データを生成する。
【００９０】
図１１は、本実施例に係るテストパターン画像データの一例を示す。図１１の例では、図１０（Ａ）のパターン画像が左上に複数配置されており、図１０（Ｂ）のパターン画像が右上に複数配置されており、図１０（Ｃ）のパターン画像が左下に複数配置されており、図１０（Ｄ）のパターン画像が右下に複数配置されている。
【００９１】
以上述べたように、本実施例によれば、特定色成分が互いに異なる複数の画像が配置された画像データが、テストパターン画像データとして生成される。それにより、複数種類の特定色成分のそれぞれについて、オーバードライブ駆動の効果を同時且つ容易に確認することができる。
【００９２】
なお、テストパターン画像データにおいて、部分画像の種類、部分画像の数、部分画像の形状、部分画像の配置、等は特に限定されない。各階調値（Ｒ値、Ｇ値、及び、Ｂ値）が時間変化しない部分画像が配置されていなくてもよい。各階調値（Ｒ値、Ｇ値、及び、Ｂ値）が同じ変化量で時間変化する部分画像が配置されていなくてもよい。特定色成分が互いに異なる複数のパターン画像のそれぞれが移動するように、テストパターン画像データが生成されてもよい。
【００９３】
なお、実施例１〜３の各機能部は、個別のハードウェアであってもよいし、そうでなくてもよい。２つ以上の機能部の機能が、共通のハードウェアによって実現されてもよい。１つの機能部の複数の機能のそれぞれが、個別のハードウェアによって実現されてもよい。１つの機能部の２つ以上の機能が、共通のハードウェアによって実現されてもよい。また、各機能部は、ハードウェアによって実現されてもよいし、そうでなくてもよい。例えば、装置が、プロセッサと、制御プログラムが格納されたメモリとを有していてもよい。そして、装置が有する少なくとも一部の機能部の機能が、プロセッサがメモリから制御プログラムを読み出して実行することにより実現されてもよい。
【００９４】
なお、実施例１〜３はあくまで一例であり、本発明の要旨の範囲内で実施例１〜３の構成を適宜変形したり変更したりすることにより得られる構成も、本発明に含まれる。実施例１〜３の構成を適宜組み合わせて得られる構成も、本発明に含まれる。
【００９５】
＜その他の実施例＞
本発明は、上述の実施例の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００９６】
１０５：オーバードライブ補正処理部
１０６，２０１：テストパターン生成部
【図１】
2018072713.tif 000003
【図２】
2018072713.tif 000004
【図３】
2018072713.tif 000005
【図４】
2018072713.tif 000006
【図５】
2018072713.tif 000007
【図６】
2018072713.tif 000008
【図７】
2018072713.tif 000009
【図８】
2018072713.tif 000010
【図９】
2018072713.tif 000011
【図１０】
2018072713.tif 000012
【図１１】
2018072713.tif 000013